(57)【要約】【課題】持ち運びと補修を容易に行うことができ、形状を保持することができ、生態系への影響を低減させることが可能となる侵入防止柵用面材を提供する。【解決手段】侵入防止柵１０に用いられる侵入防止柵用面材１であって、略六角形状に形成される網目部２を複数備え、網目部２は、２本の線材３１、３１が２回転半以上撚り合わされる撚り部３を一対有し、一対の撚り部３、３は、互いに同一方向に延びて離間して配置され、一対の撚り部３、３の離間距離Ｌは、１１０ｍｍ以上であることを特徴とする。【選択図】図２
2020156395.tif 000002
【特許請求の範囲】
【請求項１】
侵入防止柵に用いられる侵入防止柵用面材であって、
略六角形状に形成される網目部を複数備え、
前記網目部は、２本の線材が２回転半以上撚り合わされる撚り部を一対有し、
一対の前記撚り部は、互いに同一方向に延びて離間して配置され、
一対の前記撚り部の離間距離は、１１０ｍｍ以上であること
を特徴とする侵入防止柵用面材。
【請求項２】
前記線材は、外径が１．０ｍｍ以上３．０ｍｍ以下であること
を特徴とする請求項１記載の侵入防止柵用面材。
【請求項３】
互いに離間して配置されて上下方向に延びる複数の支柱と、
隣り合う２本の前記支柱に架設される請求項１又は２記載の侵入防止柵用面材と、を備えること
を特徴とする侵入防止柵。
【請求項４】
前記撚り部の延伸方向は、前記上下方向に直交する横方向に平行であること
を特徴とする請求項３記載の侵入防止柵。
【請求項５】
前記侵入抑止柵用面材は、下側部分が地面に沿って配置されること
を特徴とする請求項３又は４記載の侵入防止柵。
【発明の詳細な説明】
【技術分野】
【０００１】
本発明は、侵入防止柵用面材及び侵入防止柵に関する。
【背景技術】
【０００２】
近年、野生動物による獣害は、農業のみならず、森林や各種インフラに対しても影響を及ぼしており、被害が深刻化している。これは、鉄道、道路等の交通インフラ、太陽光発電所等の電力インフラ等が、野生動物の生活圏に設置されることが一因とされる。こうした被害を防止するために、支柱間に架設された面材によって野生動物の侵入を防止する侵入防止柵が設置されている。面材としては、例えば樹脂製の網、棒鋼を溶接した溶接金網、鋼線を撚り合わされた亀甲金網等が用いられ、亀甲金網が用いられる侵入抑止柵として、例えば特許文献１〜３の開示技術が提案されている。
【０００３】
特許文献１には、設置面に立てた状態で配置され、可撓性を有する複数本の線状材をねじり合わせて構成した隔網材と、棒状であり、設置面に立てた状態の前記隔網材を設置面に固定する固定材とを有し、前記固定材は、前記隔網材の一部に接触した状態で設置面に配置され、前記隔網材は、線状材の長さ方向に曲げ撓ませた状態で設置面に配置され、かつ、設置面の形状に沿うよう、該隔網材の端部を設置面に接触させている動物侵入防止柵が開示されている。
【０００４】
特許文献２には、保護地と保護地の外側とを隔てるように間隔をあけて立設された複数の支柱と、支柱間に取り付けられる侵入抑止部材と、を備え、侵入抑止部材は、支柱間に架け渡される複数の線材と、最下段の線材から保護地の外側の地面に沿い延長する網体とを、備え、網体として亀甲金網が用いられる動物侵入抑止柵が開示されている。
【０００５】
特許文献３には、所定の間隔をもって配設された支柱を介して網状体を張りめぐらしてなる侵入防止柵であって、前記網状体は、地面に接する部分からはじまり地上７０センチメートル乃至９０センチメートルの高さまでを覆う亀甲金網と、該亀甲金網のすぐ上からはじまり、地上１８０センチメートル乃至２００センチメートルの高さまでを覆う格子型金網とからなることを特徴とする侵入防止柵が開示されている。そして、特許文献３には、鉄線１５は、より合わせ部Ａにおいては鉄線１６と三回より合わせられ、よりあわせ部Ｅにおいては反対側の隣り合う鉄線１４と三回より合わせられる、旨が開示されている（特許文献３の段落［００１６］、図３参照）。この三回より合わせとは、鉄線同士が１回転半撚り合わされることを指していることから、特許文献３には、鉄線同士が１回転半撚り合わされた亀甲金網が開示されている。
【先行技術文献】
【特許文献】
【０００６】
【特許文献１】特開２０１８−１３９５２３号公報
【特許文献２】特開２０１６−１１１９６９号
【特許文献３】実用新案登録第３１６１４１６号
【発明の概要】
【発明が解決しようとする課題】
【０００７】
ところで、侵入防止柵は、屋外に設置されるものであり、野生動物等により容易に破損してしまうため、補修の容易性が求められる。また、野生動物の中でも特にシカやイノシシ等の大型動物が人工設備に侵入した場合、大きな事故や高価な機器の破損等を引き起こし、被害の規模が一層大きくなる。一方で、タヌキ等の小型動物が侵入したとしても被害は大きなものとならず、むしろ、小型動物の侵入まで防止してしまうと生態系へ影響を及ぼすこととなる。このため、大型動物については、その侵入を防止し、小型動物については、生態系への影響を低減させるため自由に往来できるようにして、生態系への影響を低減させる侵入防止柵が求められている。
【０００８】
樹脂製の網の場合、大型動物と小型動物を対象とした１００ｍｍ以下の網目のもの、大型動物を対象とした１５０ｍｍ〜２００ｍｍの網目のものが用いられるものの、樹脂製の網は、破損しやすいという問題点がある。そして、樹脂製の網が破損した場合、部分補修が困難であり、網全体を交換しなくてはならず、容易に補修することができないという問題点がある。
【０００９】
溶接金網の場合、溶接金網の重量が重く、そもそも持ち運びを容易に行うことができないという問題点がある。加えて、破損した溶接金網を補修する場合、設置される場所が野山等の自然環境であることから、現場溶接ができない。このため、網全体を交換しなくてはならず、容易に補修することができないという問題点がある。
【００１０】
特許文献１〜３の開示技術は、破損してほつれた場合であっても、現場で撚り合わせられるため、補修には適している。しかしながら、特許文献１〜３の隔網材等の亀甲金網は、線材同士が１回転半しか撚り合わされていない。そして、亀甲金網の網目の大きさは、日本国内において最大でも６０ｍｍ、外国において最大でも１００ｍｍであるのが現状である。このため、網目の寸法が小さく、大型動物だけでなく小型動物の侵入も防止してしまい、生態系への影響を低減させることができないという問題点がある。加えて、線材同士が１回転半撚り合わされた網目の寸法を単に大きくしただけでは、容易に面外方向に変形が生じてしまい、金網自体の形状を保持できないという問題点がある。また、動物が通過しようとしたときには、容易に網目が面内方向に拡がるように変形してしまい、ほつれ等を引き起こす問題点がある。したがって、線材同士が１回転半撚り合わされた網目では、その寸法を単に大きくすることはできない。
【００１１】
そこで、本発明は、上述した問題点に鑑みて案出されたものであり、その目的とするところは、持ち運びと補修を容易に行うことができ、形状を保持することができ、生態系への影響を低減させることが可能となる侵入防止柵用面材及び侵入防止柵を提供することにある。
【課題を解決するための手段】
【００１２】
第１発明に係る侵入防止柵用面材は、侵入防止柵に用いられる侵入防止柵用面材であって、略六角形状に形成される網目部を複数備え、前記網目部は、２本の線材が２回転半以上撚り合わされる撚り部を一対有し、一対の前記撚り部は、互いに同一方向に延びて離間して配置され、一対の前記撚り部の離間距離は、１１０ｍｍ以上であることを特徴とする。
【００１３】
第２発明に係る侵入防止柵用面材は、第１発明において、前記線材は、外径が１．０ｍｍ以上３．０ｍｍ以下であることを特徴とする。
【００１４】
第３発明に係る侵入防止柵は、互いに離間して配置されて上下方向に延びる複数の支柱と、隣り合う２本の前記支柱に架設される第１発明又は第２発明の侵入防止柵用面材と、を備えることを特徴とする。
【００１５】
第４発明に係る侵入防止柵は、第３発明において、前記撚り部の延伸方向は、前記上下方向に直交する横方向に平行であることを特徴とする。
【００１６】
第５発明に係る侵入防止柵は、第３発明又は第４発明において、前記侵入抑止柵用面材は、下側部分が地面に沿って配置されることを特徴とする。
【発明の効果】
【００１７】
第１発明〜第５発明によれば、破損して線材同士がほつれた場合であっても、線材を再度撚り合わせればよく、容易に補修することが可能となる。また、持ち運びを容易に行うことが可能となる。
【００１８】
また、第１発明〜第５発明によれば、撚り部が強固に撚り合わせることになり、容易に面外方向に変形するのを防止することができ、侵入防止柵用面材自体の形状を保持することが可能となる。
【００１９】
また、第１発明〜第５発明によれば、小型の野性動物の頭が網目部を通過することができる。このため、大型の野性動物については、その侵入を防止し、小型の野性動物については、網目部を自由に往来できるため、生態系への影響を低減させることが可能となる。
【００２０】
また、第１発明〜第５発明によれば、小型の野性動物が通過しようとしたとき、網目部が面内方向に拡がるように変形するのを防止することができ、ほつれ等が発生しにくくすることが可能となる。
【００２１】
第４発明〜第５発明によれば、ロール状に巻かれた侵入防止柵用面材を支柱間に架設するとき、侵入防止柵用面材を横方向に展開するだけでよく、容易に施工することができる。また、侵入防止柵用面材がロール状に巻かれているため、支柱間の距離によらずに、侵入防止柵用面材を施工することが可能となる。
【００２２】
第５発明によれば、大型の野性動物が侵入防止柵用面材に潜り込むのを防止することができる。このため、大型の野性動物による侵入を一層防止することが可能となる。
【図面の簡単な説明】
【００２３】
【図１】実施形態における侵入防止柵用面材及び侵入防止柵の一例を示す正面図である。
【図２】実施形態における侵入防止柵用面材の一例を示す正面図である。
【図３】実施形態における侵入防止柵の一例を示す側面図である。
【図４】実施形態における侵入防止柵用面材の第１変形例を示す正面図である。
【図５】実施形態における侵入防止柵用面材の第２変形例を示す側面図である。
【図６】実施形態における侵入防止柵用面材の第３変形例を示す正面図である。
【発明を実施するための形態】
【００２４】
以下、本発明を適用した侵入防止柵用面材及び侵入防止柵を実施するための形態について、図面を参照しながら詳細に説明する。
【００２５】
図１は、実施形態における侵入防止柵用面材１及び侵入防止柵１０の一例を示す正面図である。図２は、実施形態における侵入防止柵用面材１の一例を示す正面図である。
【００２６】
侵入防止柵１０は、大型の野生動物の侵入を防止し、小型の野生動物が自由に往来できるものである。大型の野生動物としては、例えばシカやイノシシ等が該当する。小型の野性動物としては、例えばタヌキ、アライグマ、ハクビシン、イタチ、ネズミ、キツネ等が該当する。
【００２７】
侵入防止柵１０は、互いに離間して配置されて上下方向Ｚに延びる複数の支柱８と、隣り合う２本の支柱８、８に架設される侵入防止柵用面材１と、を備える。支柱８は、鋼管、Ｌ形のアングル材等が用いられればよい。
【００２８】
侵入防止柵用面材１は、略六角形状に形成される網目部２を複数備える。侵入防止柵用面材１は、面内方向が上下方向Ｚに沿って配置され、地面Ｇに対して略垂直に配置される。また、侵入防止柵用面材１は、上端部１ａと下端部１ｂとに、上下方向Ｚに直交する横方向Ｘに平行に延びる鋼線等で構成される耳線６を更に備える。侵入防止柵用面材１は、側端部１ｃが支柱８に取り付けられる。なお、侵入防止柵用面材１は、面内方向が上下方向Ｚに対して傾斜して配置されてもよい。
【００２９】
網目部２は、２本の線材３１、３１が２回転半撚り合わされる撚り部３を一対有する。本発明では、網目部２は、２本の線材３１、３１が２回転半以上撚り合わされる撚り部３を一対有していればよい。例えば、撚り部３は、２本の線材３１、３１が３回転半撚り合わされてもよいし、撚り部３は、２本の線材３１、３１が４回転半撚り合わされてもよい。
【００３０】
線材３１は、例えば鋼製等の金属製の線材であり、外径が１．０ｍｍ以上３．０ｍｍ以下であることが好ましい。線材３１は、外径が１．０ｍｍ未満の場合、径が細すぎてすぐに切断されるおそれや、面外変形しやすく形状を保持しにくくなるおそれがある。また、線材３１は、外径が３．０ｍｍ超の場合、径が太すぎて撚り部３を形成しづらい。このため、線材３１は、外径が１．０ｍｍ以上３．０ｍｍ以下であることが好ましい。
【００３１】
線材３１は、例えば、線径１．８ｍｍの金属製の芯線材に低密度ポリエチレン等の樹脂製材等が被覆されて外径が２．６ｍｍの被覆線材が用いられる。線材３１として被覆線材が用いられる場合、例えば引張強度が４００Ｎ／ｍｍ2〜４５０Ｎ／ｍｍ2程度の軟鋼線材や、引張強度が８５０Ｎ／ｍｍ2〜９５０Ｎ／ｍｍ2程度の硬鋼線材が用いられる。線材３１は、例えば外径２．０ｍｍの溶融亜鉛めっき等が施されためっき線材が用いられる。線材３１は、例えば外径２．０ｍｍのステンレス線材が用いられる。
【００３２】
一対の撚り部３、３は、互いに同一方向に延びて離間して配置される。撚り部３の延伸方向Ｐは、上下方向Ｚに直交する横方向Ｘに平行である。
【００３３】
撚り部３の延伸方向Ｐに沿う撚り部３の中心線Ｃとしたとき、一対の撚り部３、３のそれぞれの中心線Ｃ、Ｃの間が離間距離Ｌとなる。本発明では、一対の撚り部３、３の離間距離Ｌは、１１０ｍｍ以上２００ｍｍ以下であればよい。一対の撚り部３、３の離間距離Ｌが１１０ｍｍ未満の場合、小型の野性動物が網目部２を通過することができない。また、一対の撚り部３、３の離間距離Ｌが２００ｍｍ以上の場合、大型の野性動物まで通過してしまう虞がある。このため、本発明では、一対の撚り部３、３の離間距離Ｌは、１１０ｍｍ以上２００ｍｍ以下であればよい。また、一対の撚り部３、３の離間距離Ｌが１２０ｍｍである場合、網目部２の形状が略正六角形状にし易く、工場での侵入防止柵用面材１の製作性を向上させることができる。また、網目部２の形状が略正六角形状であることで、形状の安定性を向上させることができる。このため、一対の撚り部３、３の離間距離Ｌが１２０ｍｍであることが好ましい。
【００３４】
侵入防止柵用面材１は、ロール状に巻くことができる。このため、持ち運びを容易に行うことが可能となる。侵入防止柵用面材１を巻く際には、撚り部３の延伸方向Ｐに向けて巻くことが好ましい。
【００３５】
侵入防止柵１０を組み立てる際には、先ず、複数の支柱８、８を互いに離間させて、地面Ｇに立設する。そして、ロール状に巻かれた侵入防止柵用面材１を展開して、撚り部３の延伸方向Ｐを横方向Ｘに平行となるように配置する。そして、侵入防止柵用面材１の側端部１ｃを支柱８、８に取り付け、侵入防止柵用面材１を支柱８、８間に架設する。
【００３６】
本実施形態によれば、略六角形状に形成される網目部２を複数備え、網目部２は、２本の線材３１、３１が２回転半以上撚り合わされる撚り部３を一対有し、一対の撚り部３、３は、互いに同一方向に延びて離間して配置され、一対の撚り部３、３の離間距離Ｌは、１１０ｍｍ以上である。これにより、破損して線材３１、３１同士がほつれた場合であっても、線材３１を再度撚り合わせればよく、容易に補修することが可能となる。また、持ち運びを容易に行うことが可能となる。
【００３７】
また、本実施形態によれば、２本の線材３１、３１が２回転半以上撚り合わされる撚り部３を有する。これにより、撚り部３が強固に撚り合わせることになり、容易に面外方向に変形するのを防止することができ、侵入防止柵用面材１自体の形状を保持することが可能となる。
【００３８】
また、本実施形態によれば、一対の撚り部３、３の離間距離Ｌは、１１０ｍｍ以上である。これにより、図３に示すように、小型の野性動物Ｓの頭が網目部２を通過することができる。このため、大型の野性動物Ｒについては、その侵入を防止し、小型の野性動物Ｓについては、網目部２を自由に往来できるため、生態系への影響を低減させることが可能となる。
【００３９】
また、本実施形態によれば、２本の線材３１、３１が２回転半以上撚り合わされる撚り部３を有する。これにより、小型の野性動物Ｓが通過しようとしたとき、網目部２が面内方向に拡がるように変形するのを防止することができ、ほつれ等が発生しにくくすることが可能となる。
【００４０】
本実施形態によれば、撚り部３の延伸方向Ｐは、上下方向Ｚに直交する横方向Ｘに平行である。これにより、ロール状に巻かれた侵入防止柵用面材１を支柱８、８間に架設するとき、ロール状に巻かれた侵入防止柵用面材１を横方向Ｘに展開するだけでよく、容易に施工することができる。また、侵入防止柵用面材１がロール状に巻かれているため、支柱８、８間の距離によらずに、侵入防止柵用面材１を施工することが可能となる。
【００４１】
図４は、実施形態における侵入防止柵用面材１の第１変形例を示す正面図である。図４に示すように、撚り部３の延伸方向Ｐは、上下方向Ｚに平行であってもよい。
【００４２】
図５は、実施形態における侵入防止柵用面材１の第２変形例を示す側面図である。侵入防止柵用面材１は、下側部分１ｄが地面Ｇに沿って配置されてもよい。侵入防止柵用面材１の下端部１ｂ近傍には、ペグ等の固定部材により、地面Ｇに固定される。
【００４３】
このとき、線材３１として被覆線材が用いられる場合、例えば引張強度が４００Ｎ／ｍｍ2〜４５０Ｎ／ｍｍ2程度の軟鋼線材が用いられることが好ましい。これにより、侵入防止柵用面材１の下側部分１ｄを地面Ｇに沿って配置し易くすることが可能となる。
【００４４】
本実施形態によれば、侵入防止柵用面材１の下側部分１ｄが地面Ｇに沿って配置される。これにより、大型の野性動物が侵入防止柵用面材１に潜り込むのを防止することができる。このため、大型の野性動物による侵入を一層防止することが可能となる。
【００４５】
図６は、実施形態における侵入防止柵用面材１の第３変形例を示す正面図である。侵入防止柵用面材１は、網目部２（以下、第１網目部２ともいう）と第２網目部４を複数備える。侵入防止柵用面材１は、上端部１ａと、下端部１ｂと、第１網目部２と第２網目部４との境目１ｅとに、それぞれ耳線６を更に備える。
【００４６】
侵入防止柵用面材１は、下端部１ｂ側に第１網目部２を複数備える。第１網目部２は、２本の線材３１、３１が２回転半以上撚り合わされる撚り部３（以下、第１撚り部３ともいう）を一対有し、一対の第１撚り部３、３は、互いに同一方向に延びて離間して配置され、一対の第１撚り部３、３の離間距離Ｌは、１１０ｍｍ以上である。侵入防止柵用面材１は、第１網目部２が地面Ｇから例えば３００ｍｍ程度の高さまでに配置される。
【００４７】
侵入防止柵用面材１は、複数の第１網目部２よりも上側に複数の第２網目部４が配置される。第２網目部４は、略六角形状に形成される。第２網目部４は、２つの線材４１、４１が１回転半撚り合わせる第２撚り部５を一対有し、一対の第２撚り部５、５は、互いに同一方向に延びて離間して配置され、一対の第２撚り部５、５の離間距離Ｍは、１００ｍｍ以下である。
【００４８】
本実施形態によれば、侵入防止柵用面材１は、下端部１ｂ側に第１網目部２を複数備え、複数の第１網目部２よりも上側に複数の第２網目部４が配置される。これにより、小型の野生動物の頭が網目部２を通過することができる。このため、大型の野性動物については、その侵入を防止し、小型の野性動物については、自由な往来ができるため、生態系への影響を低減させることが可能となる。
【００４９】
なお、侵入防止柵１０及び侵入防止柵用面材１は、上述した各変形例を組み合わせた構成を備えてもよい。
【００５０】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００５１】
１０  ：侵入防止柵
１    ：侵入防止柵用面材
１ａ  ：上端部
１ｂ  ：下端部
１ｃ  ：側端部
１ｄ  ：下側部分
１ｅ  ：境目
２    ：網目部
３    ：撚り部
３１  ：線材
４    ：第２網目部
４１  ：線材
５    ：第２撚り部
６    ：耳線
８    ：支柱
Ｃ    ：中心線
Ｇ    ：地面
Ｌ    ：離間距離
Ｍ    ：離間距離
Ｐ    ：延伸方向
【図１】
2020156395.tif 000003
【図２】
2020156395.tif 000004
【図３】
2020156395.tif 000005
【図４】
2020156395.tif 000006
【図５】
2020156395.tif 000007
【図６】
2020156395.tif 000008